(57)【要約】【課題】発光体からの光を十分に表示窓へと導くことができる表示装置を提供する。【解決手段】表示装置は、第１表示窓１２３ａ、第２表示窓１２３ｂおよび第３表示窓１２３ｃと、各表示窓１２３ａ、１２３ｂ、１２３ｃと所定の距離をもってそれぞれ配置された第１ＬＥＤ８０４、第２ＬＥＤ８０５および第３ＬＥＤ８０６と、各表示窓１２３ａ、１２３ｂ、１２３ｃと各ＬＥＤ８０４、８０５、８０６との間にそれぞれ配され、各ＬＥＤ８０４、８０５、８０６から発せられた光を対応する表示窓へ導く第１導光部１４１、第２導光部１４２および第３導光部１４３とを備える。各導光部１４１、１４２、１４３は、表示窓側に位置する先端面１４１ｄ、１４２ｄ、１４３ｄと、ＬＥＤ側に位置し、先端面より大な面積を有する基端面１４１ｅ、１４２ｅ、１４３ｅとを含む。各導光部１４１、１４２、１４３には、テーパー部１４１ｃ、１４２ｃ、１４３ｃが設けられている。【選択図】図５
2011165608.tif 000002
【特許請求の範囲】
【請求項１】
表示装置において、
表示窓と、
前記表示窓と所定の距離をもって配された発光部と、
前記表示窓と前記発光部との間に配置され、前記発光部から発せられた光を前記表示窓へ導く導光部と、を備え、
前記導光部は、前記表示窓側に位置する先端面と、前記発光源側に位置し、前記先端面より大きな面積を有する基端面とを含み、
前記基端面から前記先端面に向かって断面積が次第に小さくなるテーパー部が前記導光部の少なくとも一部に設けられている、
ことを特徴とする表示装置。
【請求項２】
請求項１に記載の表示装置において、
前記表示窓は、複数設けられるとともに、
各表示窓に対応して、前記導光部と前記発光部とが複数設けられ、
さらに、全ての前記導光部を前記導光部が延びる方向と交差する方向に連結する連結部が前記導光部に一体的に形成され、
前記連結部は、隣り合う前記導光部を直線的に結ぶ経路よりも長い経路によって、隣り合う前記導光部を連結する、
ことを特徴とする表示装置。
【請求項３】
請求項２に記載の表示装置において、
隣り合う前記導光部の間に遮光壁がさらに配され、
前記連結部は、前記遮光壁の外側を迂回する形状となっている、
ことを特徴とする表示装置。
【請求項４】
請求項１ないし３の何れか一項に記載の表示装置において、
前記発光部は、前記表示窓の正面方向から見て、前記表示窓とずれた位置に配置されており、
前記導光部は、少なくともその一部が前記表示窓の配置位置から前記発光部の配置位置へ斜めに延びている、
ことを特徴とする表示装置。
【請求項５】
請求項１ないし４の何れか一項に記載の表示装置と、
本体キャビネットと、
前記本体キャビネットに向き合う回路基板と、を備え、
前記表示窓は、前記本体キャビネットに設けられ、
前記発光部は、前記回路基板に配置されている、
ことを特徴とする投写型表示装置。
【発明の詳細な説明】
【技術分野】
【０００１】
本発明は、発光体からの光によって表示窓を点灯させる表示装置、および、かかる表示装置を備える投写型表示装置に関する。
【背景技術】
【０００２】
従来、投写型表示装置（以下、「プロジェクタ」という）では、運転状態等、機器に関する情報を表示するための表示装置が設けられている。たとえば、表示装置は、本体キャビネットに設けられた複数の表示窓が、本体キャビネット内部に配されたＬＥＤ等の発光体からの光によって点灯するような構成とされ得る。
【０００３】
かかる構成とした場合、発光体と表示窓との間には、透明な樹脂からなる導光体（ライトガイド）が配され得る（たとえば、特許文献１参照）。導光体は、表示窓側の先端面から発光体側の基端面に亘って一様な断面積を有する柱状の部材とされ得る。発光体から発せられた光は、導光体の内部を伝搬して、表示窓へと導かれる。
【先行技術文献】
【特許文献】
【０００４】
【特許文献１】特開２００９−１７０７１７号公報
【発明の概要】
【発明が解決しようとする課題】
【０００５】
一般に、表示窓は、本体キャビネットのデザインに応じて、その形や大きさが決められる。たとえば、表示窓が、本体キャビネットにおいて目立たないように、比較的小さなサイズとされる場合がある。この場合、表示窓に合わせて導光体の断面積が小さくなると、発光体から導光体へと取り込まれる光量が低下する。これにより、表示窓からの発光量が低下し、表示窓の点灯がユーザにより認識されにくくなる惧れがある。
【０００６】
特に、表示窓と発光体とが比較的大きく離れて配置される場合には、導光体による導光経路が長くなるため、表示窓の発光量が低下しやすく、問題となりやすい。
【０００７】
本発明は、かかる課題に鑑みてなされたものであり、発光体からの光を十分に表示窓へと導くことができる表示装置および投写型表示装置を提供することを目的とする。
【課題を解決するための手段】
【０００８】
本発明の第１の態様は、表示装置に関する。本態様に係る表示装置は、表示窓と、前記表示窓と所定の距離をもって配された発光部と、前記表示窓と前記発光部との間に配置され、前記発光部から発せられた光を前記表示窓へ導く導光部とを備える。
【０００９】
ここで、前記導光部は、前記表示窓側に位置する先端面と、前記発光源側に位置し、前記先端面より大きな面積を有する基端面とを含む。また、前記基端面から前記先端面に向かって断面積が次第に小さくなるテーパー部が前記導光部の少なくとも一部に設けられている。
【００１０】
第１の態様に係る表示装置によれば、導光部は、基端面の面積が先端面より大きくされているので、発光部からの光を導光部内に多く取り込むことができる。また、導光部の少なくとも一部にはテーパー部が設けられており、基端面から先端面に向けて断面積が次第に絞られている。このため、基端面から取り込まれた光の多くが、導光部の途中で外部に
漏れてしまうことなく、基端面よりも面積が小さな先端面へと導かれる。これにより、発光部からの光を表示窓へと十分に導くことができる。
【００１１】
第１の態様に係る表示装置は、前記表示窓が、複数設けられるとともに、各表示窓に対応して、前記導光部と前記発光部とが複数設けられるような構成とされ得る。表示装置は、さらに、全ての前記導光部を前記導光部が延びる方向と交差する方向に連結する連結部が前記導光部に一体的に形成されるよう構成され得る。この場合、前記連結部は、隣り合う前記導光部を直線的に結ぶ経路よりも長い経路によって、隣り合う前記導光部を連結するような構成とされ得る。
【００１２】
このような構成とすれば、全ての導光部が連結部により連結されているため、複数の導光部を一体的に扱うことができる。しかも、連結部は、隣り合う導光部を直線的に結ぶ経路よりも長い経路によって、隣り合う導光部を連結するため、導光部から連結部に光が漏れても、漏れた光が連結部を伝搬して隣の導光部に至りにくい。よって、点灯されていない表示窓からの光の漏れを抑制することができる。
【００１３】
第１の態様に係る表示装置は、隣り合う前記導光部の間に遮光壁がさらに配されるような構成とされ得る。この場合、前記連結部は、前記遮光壁の外側を迂回する形状となるような構成とされ得る。
【００１４】
このような構成とすれば、発光部から発せられた光が、隣の発光部に対応する導光部や表示窓へ漏れ、隣の表示窓から出射されてしまうのを防止できる。また、連結部は、遮光壁を迂回するように構成されているので、導光部を、遮光壁に邪魔されることなく設置でき、また、導光部の迂回部分において光が漏れても遮光壁によって遮光され得る。
【００１５】
第１の態様に係る表示装置において、前記発光部は、前記表示窓の正面方向から見て、前記表示窓とずれた位置に配置されるよう構成され得る。この場合、前記導光部は、少なくともその一部が前記表示窓の配置位置から前記発光部の配置位置へ斜めに延びるような構成とされ得る。
【００１６】
このような構成とすれば、発光部が、表示窓の正面方向から見て、表示窓とずれた位置に配置される場合にも、発光部からの光を表示窓へと良好に導くことができる。
【００１７】
本発明の第２の態様は、投写型表示装置に関する。本態様に係る投写型表示装置は、第１の態様に係る表示装置と、本体キャビネットと、前記本体キャビネットに向き合う回路基板とを備える。ここで、前記表示窓は、前記本体キャビネットに設けられており、前記発光部は、前記回路基板に配置されている。
【００１８】
本発明の第２の態様に係る投写型表示装置によれば、第１の態様と同様、発光部からの光を表示窓へと十分に導くことができる。
【発明の効果】
【００１９】
以上のとおり、本発明によれば、発光部からの光を十分に表示窓へと導くことができる表示装置および投写型表示装置を提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係るプロジェクタの外観構成を示す斜視図である。
【図２】実施の形態に係るプロジェクタの内部構成を示す斜視図である。
【図３】実施の形態に係る光学エンジンおよび投写レンズユニットの構成を示す図である。
【図４】実施の形態に係る回路基板の各ＬＥＤと導光部材との配置関係を示す図である。
【図５】実施の形態に係る導光部材の構成を示す図である。
【図６】実施の形態に係る上部キャビネットへの導光部材の装着構造について説明するための図である。
【図７】実施の形態に係る第１ＬＥＤからの光が第１導光部によって第１表示窓へと導かれる様子を模式的に示す図である。
【図８】実施の形態に対する比較例となる導光部材の構成を説明するための図である。
【図９】導光部材の変更例を示す図である。
【発明を実施するための形態】
【００２２】
以下、図面を参照して、本発明の実施の形態について説明する。
【００２３】
図１は、プロジェクタの外観構成を示す斜視図である。図１（ａ）は、前方から見たプロジェクタの斜視図であり、図１（ｂ）は、後方から見たプロジェクタの斜視図である。
【００２４】
図１を参照して、プロジェクタは、本体キャビネット１０を備えている。本体キャビネット１０は、下部キャビネット１１と、下部キャビネット１１に上方から被せられる上部キャビネット１２により構成されている。
【００２５】
下部キャビネット１１は、上面が開放された底の浅い箱状に形成されている。下部キャビネット１１は、その前面１１Ｆが左右の側面１１Ｌ、１１Ｒおよび後面１１Ｂよりも高くなるように形成されている。左右の側面１１Ｌ、１１Ｒは、前端部分で緩やかに高くなり、前面１１Ｆにつながっている。
【００２６】
下部キャビネット１１の前面１１Ｆには、吸気口１１１が形成されている。吸気口１１１は、多数のスリット状の孔によって構成されている。また、下部キャビネット１１の前面１１Ｆには、出音口１１２が形成されている。出音口１１２からは、投写時に映像に対応する音声が出力される。
【００２７】
上部キャビネット１２は下面が開放された箱状に形成されている。上部キャビネット１２の前部は、左右全体に亘って緩やかに上方に反っており、その前面１２Ｆが、わずかに斜め上方を向いている。上部キャビネット１２の前面１２Ｆは、横方向から見て、緩やかに湾曲しているとともに、下部キャビネット１１の前面１１Ｆよりも斜め上方に突出している。
【００２８】
上部キャビネット１２の前面１２Ｆには、中央よりも左側面側に寄った位置に、四角形状の投写口１２１が形成されている。投写口１２１の奥には、投写レンズユニット３０の前端部分のレンズ３１１が収容される収容部１２２が形成されている。
【００２９】
上部キャビネット１２の上面１２Ｕには、インジケータ部１２３が設けられている。インジエータ部１２３は、第１表示窓１２３ａ、第２表示窓１２３ｂおよび第３表示窓１２３ｃにより構成されている。各表示窓１２３ａ、１２３ｂ、１２３ｃには、後述する導光構造によって、対応するＬＥＤから発せられた光が導かれる。
【００３０】
第１表示窓１２３ａは、主としてプロジェクタの運転状態に関する表示を行う。プロジェクタがスタンバイ状態にあるときには、第１表示窓１２３ａが赤色で点灯し、運転状態にあるときには、第１表示窓１２３ａが緑色で点灯する。第２表示窓１２３ｂは、主としてプロジェクタの温度異常に関する表示を行う。プロジェクタ内部の温度が異常に上昇することによって温度異常が検出されると、第２表示窓１２３ｂが赤色で点滅する。第３表示窓１２３ｃは、主として光源ランプの交換に関する表示を行う。光源ランプが劣化し、交換するタイミングになると、第３表示窓１２３ｃが赤色で点灯する。
【００３１】
また、上部キャビネット１２の上面１２Ｕには、操作部１２４が設けられている。操作部１２４には、複数の操作キーが配されている。上部キャビネット１２の左側面１２Ｌには、ＡＶ端子部１２５が設けられており、各種ＡＶ端子が外部に臨んでいる。ＡＶ端子部１２５を通じて、プロジェクタにＡＶ（Audio Visual）信号が入出力される。
【００３２】
上部キャビネット１２の後面１２Ｂは、着脱可能な後面カバー１２６によって構成されている。後面カバー１２６には、吸気口１２７が設けられている。吸気口１２７は、多数のスリット状の孔によって構成されている。また、上部キャビネット１２の右側面１２Ｒには、排気口１２８が設けられている。排気口１２８は、多数のスリット状の孔によって構成されている。吸気口１２７や下部キャビネット１１の吸気口１１１から本体キャビネット１０内に取り込まれた外気は、液晶パネルや光源ランプなど、本体キャビネット１０内の発熱部品を冷却した後に排気口１２８から排出される。
【００３３】
図２は、プロジェクタ内部構成を示す斜視図である。図２（ａ）は、上部キャビネット１２および制御回路ユニット８０が取り外された状態を示すプロジェクタの後方から見た斜視図である。また、図２（ｂ）は、制御回路ユニット８０が装着され、上部キャビネット１２のみが取り外された状態を示すプロジェクタの後方から見た斜視図である。
【００３４】
図２（ａ）を参照して、下部キャビネット１１には、光学エンジン２０、投写レンズユニット３０、メイン電源ユニット４０、サブ電源ユニット５０、冷却ユニット６０および排気ファンユニット７０が配されている。
【００３５】
光学エンジン２０は、光源ランプを有する光源部２１と、光源部２１からの光を変調して映像光を生成する光学系２２とを備えており、下部キャビネット１１の中央よりやや後ろ側に配されている。光学系２２は、光源部２１から投写レンズユニット３０に至るようにＬ字状を有する。
【００３６】
投写レンズユニット３０は、光学系２２の前方であって、下部キャビネット１１の中央よりやや左側面寄りに配されている。投写レンズユニット３０は、レンズホルダ３１を介して下部キャビネット１１に固定されている。
【００３７】
図３は、光学エンジン２０および投写レンズユニット３０の構成を示す図である。
【００３８】
光源ランプ２０１から出射された白色光は、コンデンサレンズ２０２、フライアイインテグレータ２０３、ＰＢＳアレイ２０４を通過する。フライアイインテグレータ２０３は、液晶パネル（後述する）に照射される各色光の光量分布を均一化させ、ＰＢＳアレイ２０４は、ダイクロイックミラー２０６に向かう光の偏光方向を一方向に揃える。
【００３９】
ＰＢＳアレイ２０４を通過した光は、コンデンサレンズ２０５を通過してダイクロイックミラー２０６に入射する。
【００４０】
ダイクロイックミラー２０６は、入射した光のうち、青色波長帯の光（以下、「Ｂ光」
という）のみを反射し、緑色波長帯の光（以下、「Ｇ光」という）と赤色波長帯の光（以下、「Ｒ光」という）を透過する。
【００４１】
ダイクロイックミラー２０６により反射されたＢ光は、コンデンサレンズ２０５、２０７によるレンズ作用と反射ミラー２０８による反射によって、適正な照射状態にて青色用の液晶パネル２０９に照射される。液晶パネル２０９は、青色用の映像信号に応じて駆動され、その駆動状態に応じてＢ光を変調する。なお、液晶パネル２０９の入射側には１枚の入射側偏光板２１０が配されており、入射側偏光板２１０を介して液晶パネル２０９にＢ光が照射される。また、液晶パネル２０９の出射側には２枚の出射側偏光板２１１が配されており、液晶パネル２０９から出射されたＢ光が出射側偏光板２１１に入射する。
【００４２】
ダイクロイックミラー２０６を透過したＧ光およびＲ光は、ダイクロイックミラー２１２に入射する。ダイクロイックミラー２１２は、Ｇ光を反射するとともにＲ光を透過する。
【００４３】
ダイクロイックミラー２１２により反射されたＧ光は、コンデンサレンズ２０５、２１３によるレンズ作用によって、適正な照射状態にて緑色用の液晶パネル２１４に照射される。液晶パネル２１４は、緑色用の映像信号に応じて駆動され、その駆動状態に応じてＧ光を変調する。なお、液晶パネル２１４の入射側には１枚の入射側偏光板２１５が配されており、入射側偏光板２１５を介して液晶パネル２１４にＧ光が照射される。また、液晶パネル２１４の出射側には２枚の出射側偏光板２１６が配されており、液晶パネル２１４から出射されたＧ光が出射側偏光板２１６に入射する。
【００４４】
ダイクロイックミラー２１２を透過したＲ光は、コンデンサレンズ２０５、２１７およびリレーレンズ２１８、２１９によるレンズ作用と反射ミラー２２０、２２１による反射によって、適正な照射状態にて赤色用の液晶パネル２２２に照射される。液晶パネル２２２は、赤色用の映像信号に応じて駆動され、その駆動状態に応じてＲ光を変調する。なお、液晶パネル２２２の入射側には１枚の入射側偏光板２２３が配されており、入射側偏光板２２３を介して液晶パネル２２２にＲ光が照射される。また、液晶パネル２２２の出射側には１枚の出射側偏光板２２４が配されており、液晶パネル２２２から出射されたＲ光が出射側偏光板２２４に入射する。
【００４５】
液晶パネル２０９、２１４、２２２によって変調されたＢ光、Ｇ光、Ｒ光は、出射側偏光板２１１、２１６、２２４を通過してダイクロイックプリズム２２５に入射する。ダイクロイックプリズム２２５は、Ｂ光、Ｇ光およびＲ光のうち、Ｂ光とＲ光を反射するとともにＧ光を透過し、これにより、Ｂ光、Ｇ光およびＲ光を色合成する。こうして、色合成された映像光が、ダイクロイックプリズム２２５から投写レンズユニット３に向けて出射される。
【００４６】
投写レンズユニット３０は、複数のレンズを備えており、入射した映像光を拡大してスクリーンに投写する。投写レンズユニット３０は、短焦点タイプのレンズであり、前端部に大きなレンズ３１１を有する。映像光は、レンズ３１１からやや斜め上方に向けて出射される。
【００４７】
また、投写レンズユニット３０には、フォーカスリング３１２が設けられている。フォーカスリング３１２には、フォーカスレバー３１３が形成されている。フォーカスレバー３１３が操作されると、フォーカスリング３１２が回動し、これに伴って、投写レンズユニット３０内部のフォーカスレンズ（図示せず）が移動する。こうして、フォーカスレバー３１３が操作されることにより、投写画像のフォーカスが調整される。
【００４８】
図２（ａ）に戻り、投写レンズユニット３０の右方には、メイン電源ユニット４０が配されており、左方には、サブ電源ユニット５０が配されている。メイン電源ユニット４０は、ハウジング４０１内に電源回路を備えており、プロジェクタの各電装部品に電源の供給を行う。ハウジング４０１には、投写レンズユニット３０側の側面に、多数の孔からなる通気口４０２が形成されている。また、反対側の側面にも図示しない通気口が形成されている。
【００４９】
サブ電源ユニット５０は、ノイズフィルタや平滑回路などを備えており、入力された商用交流電源からノイズを除去してメイン電源ユニット４０に供給する。
【００５０】
光学エンジン２０の後方には、冷却ユニット６０が配されている。冷却ユニット６０は複数の吸気ファンを備えている。下部キャビネット１１の後端部には、冷却ユニット６０の吸気口部６０１が配されている。吸気口部６０１には、着脱可能なフィルタユニット９０が配される。フィルタユニット９０は、目の粗さが異なる複数のフィルタを有し、吸気口１２７から取り込まれる外気中の塵や埃を、その大きさに応じて、それぞれのフィルタにて段階的に除去する。
【００５１】
冷却ユニット６０は、本体キャビネット１０の吸気口１２７から取り込んだ外気を、液晶パネル２０９、２１４、２２２など、光学エンジン２０の主要な発熱部品に供給して、これら発熱部品を冷却する。
【００５２】
メイン電源ユニット４０の右方であって、下部キャビネット１１の右側端部には、排気ファンユニット７０が配されている。排気ファンユニット７０は、第１排気ファン７０１と、第２排気ファン７０２と、これらの排気ファン７０１、７０２を下部キャビネット１１に固定するためのファンホルダ７０３とにより構成されている。
【００５３】
第１排気ファン７０１は、その吸気面が、本体キャビネット１０の左側面よりもやや斜め後方に向いている。第１排気ファン７０１は、光学エンジン２０内の発熱部品（液晶パネル２０９、２１４、２２２や光源ランプ２０１）を冷却することにより温まった空気を外部に排出する。また、吸気口１１１から取り込まれ、投写レンズユニット３０を冷却することにより温まった空気を外部に排出する。
【００５４】
第２排気ファン７０２は、その吸気面が、メイン電源ユニット４０に向いている。第２排気ファン７０２は、メイン電源ユニット４０を冷却することにより温まった空気を外部に排出する。
【００５５】
次に、図２（ｂ）を参照して、下部キャビネット１１の左側面側には、制御回路ユニット８０が配される。制御回路ユニット８０は、回路基板８０１と、回路基板８０１の左端部に装着されたＡＶ端子基板８０２とにより構成されている。
【００５６】
回路基板８０１は、前後が長手方向となる長方形状を有している。回路基板８０１には、液晶パネル２０９、２１４、２２２、光源ランプ２０１等の各種駆動部品を制御するための制御回路が配されている。回路基板８０１は、投写レンズユニット３０、光学エンジン２０および冷却ユニット６０の一部を覆うように、これらと比較的小さな間隔を持って配される。
【００５７】
ＡＶ端子基板８０２には、各種ＡＶ端子８０３が装着されている。上述のように、上部キャビネット１２が下部キャビネット１１に装着されると、各種ＡＶ端子８０３がＡＶ端子部１２５において外部に臨む。
【００５８】
図４は、回路基板８０１に配された各ＬＥＤ８０４、８０５、８０６と導光部材１４との配置関係を示す図である。図４では、便宜上、制御回路ユニット８０、導光部材１４および３つの表示窓１２３ａ、１２３ｂ、１２３ｃのみが図示され、その他の構成については図示省略されている。
【００５９】
回路基板８０１には、第１ＬＥＤ８０４、第２ＬＥＤ８０５および第３ＬＥＤ８０６が配されている。第１ＬＥＤ８０４は、第１表示窓１２３ａの真下に位置している。第２ＬＥＤ８０５は、第２表示窓１２３ｂの真下位置よりもやや後方に位置している。第３ＬＥＤ８０６は、第３表示窓１２３ｃの真下位置よりもやや左方に位置している。これらＬＥＤ８０３、８０４、８０５は赤色、緑色等、複数色の光を発することができるタイプのＬＥＤである。
【００６０】
各ＬＥＤ８０４、８０５、８０６と各表示窓１２３ａ、１２３ｂ、１２３ｃとの間には、導光部材１４が配されている。導光部材１４は、第１導光部１４１と、第２導光部１４２と、第３導光部１４３と、これら３つの導光部１４１、１４２、１４３、を連結する２つの連結部（第１連結部１４４ａ、第２連結部１４４ｂ）とを一体的に備えている。導光部材１４は、アクリル樹脂などの透明な樹脂材料で作られている。
【００６１】
第１導光部１４１は、第１ＬＥＤ８０４から発せられた光を第１表示窓１２３ａへ導く。第２導光部１４２は、第２ＬＥＤ８０５から発せられた光を第２表示窓１２３ｂへ導く。第３導光部１４３は、第３ＬＥＤ８０６から発せられた光を第３表示窓１２３ｃへ導く。
【００６２】
図５は、導光部材１４の構成を示す図である。
【００６３】
図５を参照して、各導光部１４１、１４２、１４３は、各表示窓１２３ａ、１２３ｂ、１２３ｃ内に挿入される上柱状部１４１ａ、１４２ａ、１４３ａと、各ＬＥＤ８０４、８０５、８０６から光を取り込んで、上柱状部１４１ａ、１４２ａ、１４３ａ側へとの導く下柱状部１４１ｂ、１４２ｂ、１４３ｂと、上柱状部１４１ａ、１４２ａ、１４３ａと下柱状部１４１ｂ、１４２ｂ、１４３ｂとを繋ぎ、下柱状部１４１ｂ、１４２ｂ、１４３ｂからの光を上柱状部１４１ａ、１４２ａ、１４３ａへと導くテーパー部１４１ｃ、１４２ｃ、１４３ｃとにより構成されている。
【００６４】
各上柱状部１４１ａ、１４２ａ、１４３ａは、何れも、各表示窓１２３ａ、１２３ｂ、１２３ｃの形状と同様な断面形状を有する柱体である。本実施の形態では、各表示窓１２３ａ、１２３ｂ、１２３ｃが円形であり、これに合わせて、各上柱状部１４１ａ、１４２ａ、１４３ａは、円柱状とされている。また、各上柱状部１４１ａ、１４２ａ、１４３ａの高さは、上部キャビネット１２の上面１２Ｕの肉厚とほぼ等しくされている。なお、各上柱状部１４１ａ、１４２ａ、１４３ａの上端面は、各導光部１４１、１４２、１４３の先端面１４１ｄ、１４２ｄ、１４３ｄとなる。
【００６５】
各下柱状部１４１ｂ、１４２ｂ、１４３ｂは、何れも、円柱状を有し、その断面積が各上柱状部１４１ａ、１４２ａ、１４３の断面積よりも大きくされている。第１導光部１４１の下柱状部１４１ｂは、その断面が正円形とされており、上柱状部１４１ａと同様、真っすぐ上下方向に延びている。第２導光部１４２の下柱状部１４２ｂは、その断面が前後にやや長い楕円形とされている。上述のように、第２ＬＥＤ８０５が第２表示窓１２３ｂの真下位置よりやや後方に位置するため、下柱状部１４２ｂは、上柱状部１４２ａに対し、やや後ろ斜め方向に延びている。第３導光部１４３の下柱状部１４３ｂは、その断面が左右にやや長い楕円形とされている。上述のように、第３ＬＥＤ８０６が第２表示窓１２３ｃの真下位置よりやや左方に位置するため、下柱状部１４２ｂは、上柱状部１４３ａに
対し、やや左斜め方向に延びている。なお、各下柱状部１４１ｂ、１４２ｂ、１４３ｂの下端面は、各導光部１４１、１４２、１４３の基端面１４１ｅ、１４２ｅ、１４３ｅとなる。
【００６６】
各テーパー部１４１ｃ、１４２ｃ、１４３ｃは、各下柱状部１４１ｂ、１４２ｂ、１４３ｂ側から各上柱状部１４１ａ、１４２ａ、１４３ａ側に向うに従って徐々に（連続的に）断面積が小さくなるように、テーパー形状（円錐形状）を有している。
【００６７】
第１連結部１４４ａおよび第２連結部１４４ｂは、テーパー部１４１ｃ、１４２ｃ、１４３ｃの根元部分にて各導光部１４１、１４２、１４３を連結している。これら連結部１４４ａ、１４４ｂは、各導光部１４１、１４２、１４３と一体形成されている。
【００６８】
第１連結部１４４ａは、第１導光部１４１と第３導光部１４３とを連結する。第２連結部１４４ｂは、第１導光部１４１、第２導光部１４２および第３導光部１４３の三者を連結する。
【００６９】
第１連結部１４４ａは、第１導光部１４１から後方に延びた後、右方に屈曲して第３導光部１４３の後方位置まで延び、さらに前方へ屈曲して第３導光部１４３に繋がっている。
【００７０】
第２連結部１４４ｂは、第１導光部１４１から前方に延びた後に屈曲して右方に一旦延び、その後、屈曲して再び前方へ延び、さらに右方に屈曲して第２導光部１４２の前方位置まで延びた後に後方へ屈曲して第２導光部１４２に繋がっている。さらに、第２連結部１４４ｂは、前方から第２導光部１４２へ延びる部位の途中で分岐して右方へ延びた後、屈曲して前方へ延び、さらに右方に屈曲して第３導光部１４３の前方位置まで延びた後に後方へ屈曲して第３導光部１４３に繋がっている。
【００７１】
第２連結部１４４ｂは、図５の一点鎖線のように、３つの導光部１４１、１４２、１４３を直線的につなぐ構成とすることにより、最も簡易に構成され得る。しかしながら、このような構成とした場合、たとえば、導光部から第２連結部１４４ｂに漏れた光が、第２連結部１４４ｂを介して隣の導光部に伝わりやすくなってしまう。これにより、点灯していない表示窓から光が漏れてしまう惧れがある。
【００７２】
本実施の形態では、第２連結部１４４ｂが、直線的な経路によって隣り合う導光部を連結するのではなく、迂回した経路によって隣り合う導光部を連結する構成とされている。これにより、光が伝わる道のりを長くすることができるので、導光部から第２連結部１４４ｂに漏れた光は、連結部１４４ｂを伝わる間に減衰または外部に漏れて、隣の導光部に伝わりにくくなる。
【００７３】
第１連結部１４４ａには、２か所に円形の凹部１４５が形成されている。また、第２連結部１４４ｂには、１か所に円形の凹部１４５が形成されている。各凹部１４５の底には、小孔１４５ａが形成されている。
【００７４】
導光部材１４は、上部キャビネット１２の上面１２Ｕの裏面に装着される。上部キャビネット１２が下部キャビネット１１に被せられると、導光部材１４と３つのＬＥＤ８０４、８０５、８０６とが、図４に示すような配置関係となる。
【００７５】
図６は、上部キャビネット１２への導光部材１４の装着構造について説明するための図である。図６（ａ）は、上部キャビネット１２を裏側から見た要部の斜視図であり、図６（ｂ）は、図６（ａ）のＡ−Ａ´断面図である。なお、図６（ｂ）では、上部キャビネッ
ト１２側が上方となるように図示されている。
【００７６】
図６（ａ）を参照して、上部キャビネット１２の上面１２Ｕの裏側には、金属製のシールド板１３が装着されている。シールド板１３は、本体キャビネット１０内の電子部品から発生し、外部へ漏れようとする電磁波を遮蔽する。
【００７７】
導光部材１４は、インジケータ部１２３に対応する固定位置１５に、シールド板１３を挟むようにして固定されている。
【００７８】
固定位置１５には、３つの爪部１５１と、３つのボス１５２と、２つの遮蔽リブ１５３、１５４が上部キャビネットの裏面から形成されている。爪部１５１、ボス１５２および遮蔽リブ１５３、１５４は、何れも、これらに対応してシールド板１３に形成された開口からシールド板１３の表側に露出している。
【００７９】
３つの爪部１５１は、シールド板１３との間で導光部材１４の連結部１４４ａ、１４４ｂを挟み込む。３つのボス１５２は、上面に突起１５２ａを有し、導光部材１４の３つの凹部に嵌り込む。このとき、突起１５２ａが小孔１４５ａに挿入される。このようにして、３つの爪部１５１とボス１５２によって、導光部材１４が上部キャビネット１２に固定される。
【００８０】
遮蔽リブ１５３は、第１導光部１４１と第２導光部１４２との間に配される。また、遮蔽リブ１５４は、第２導光部１４２と第３導光部１４３との間に配される。これら、遮蔽リブ１５３、１５４は、ＬＥＤから発せられた光が、隣のＬＥＤに対応する導光部や表示窓へ漏れ、隣の表示窓から出射されてしまうのを防止する。
【００８１】
ここで、連結部１４４は、第１連結部１４４ａおよび第２連結部１４４ｂが、２つの遮蔽リブ１５３、１５４を迂回するように構成されている。よって、３つの導光部１４１、１４２、１４３が、遮蔽リブ１５３、１５４に邪魔されることなく設置でき、また、導光部の迂回部分において光が漏れても遮蔽リブ１５３、１５４によって遮光され得る。
【００８２】
図６（ｂ）に示すように、導光部材１４が上部キャビネット１２に装着された状態において、各導光部１４１、１４２、１４３は、テーパー部１４１ｂ、１４２ｂ、１４３ｂがシールド板１３に形成された開口１３１を貫通するとともに、上柱状部１４１ａ、１４２ａ、１４３ａが対応する表示窓１２３ａ、１２３ｂ、１２３ｃに挿入される。各導光部１４１、１４２、１４３の先端面１４１ｄ、１４２ｄ、１４３ｄは、各表示窓１２３ａ、１２３ｂ、１２３ｃを通じて外部に臨んでおり、これら先端面１４１ｄ、１４２ｄ、１４３ｄが、各表示窓１２３ａ、１２３ｂ、１２３ｃの発光面となる。
【００８３】
図７は、第１ＬＥＤ８０４からの光が第１導光部１４１によって第１表示窓１２３ａへと導かれる様子を模式的に示す図である。なお、第２導光部１４２および第３導光部１４３による導光の様子についても、図７と同様なものとなる。
【００８４】
図７を参照して、第１ＬＥＤ８０４から発せられた光は、導光部１４１への入射面である下柱状部１４１ｃの下端面に入射する。このとき、下柱状部１４１ｃの断面積は、上柱状部１４１ａの断面積より大きくされているため、第１ＬＥＤ８０４からの光の入射面が広くなっている。これにより、第１ＬＥＤ８０４からの多くの光を第１導光部１４１内に取り込むことができる。
【００８５】
下柱状部１４１ｃに入射した光は、下柱状部１４１ｃ内を伝わってテーパー部１４１ｂに至る。ここで、テーパー部１４１ｂは、テーパー形状とされており、その周面に当たる
多く光は、図中の矢印で示すように、浅い角度で周面に当たって反射する。反射した光は、上柱状部１４１ａへと向かう。テーパー部１４１ｂから上柱状部１４１ａに導かれた光は、上柱状部１４１ａの上端面、即ち、導光部１４１の先端面１４１ｄから外部に出射される。
【００８６】
本実施の形態では、図１に示すように、インジケータ部１２３が、上部キャビネット１２の反り上がった前部に設けられている。このため、回路基板８０１の各ＬＥＤ８０４、８０５、８０６から各表示窓１２３ａ、１２３ｂ、１２３ｂまでの距離が長くなり、その分、各表示窓１２３ａ、１２３ｂ、１２３ｂに光が届きにくくなっている。
【００８７】
しかしながら、本実施の形態では、導光部材１４の各導光部１４１、１４２、１４３の基端面が先端面に比べて大きくされており、各ＬＥＤ８０４、８０５、８０６から多くの光が各導光部１４１、１４２、１４３内に取り込まれる。しかも、各導光部１４１、１４２、１４３は、基端面から先端面に至る経路において、その断面積が徐々に絞られるようになされている。このため、上述したように、各導光部１４１、１４２、１４３内に取り込まれた光の多くが、外部に漏れることなく各表示窓１２３ａ、１２３ｂ、１２３ｃに導かれる。
【００８８】
したがって、回路基板８０１の各ＬＥＤ８０４、８０５、８０６から各表示窓１２３ａ、１２３ｂ、１２３ｂまでの距離が長くなっても、各表示窓１２３ａ、１２３ｂ、１２３ｃ（各導光部１４１、１４２、１４３の先端面１４１ｄ、１４２ｄ、１４３ｄ）を十分な輝度で発光させることができる。
【００８９】
なお、図８（ａ）に示すように、各ＬＥＤ８０４、８０５、８０６から光を多く取り込むことだけを考えて、各導光部１４１、１４２、１４３を、上柱状部１４１ａと下柱状部１４１ｂのみで構成した場合には、２つの柱状部１４１ａ、１４１ｂの接続部分で断面積が急激に絞られることになる。このため、このような構成とした場合には、図８（ｂ）に示すように、２つの柱状部１４１ａ、１４１ｂの接続部分で多くの光が外部に漏れやすくなる。したがって、上柱状部１４１ａの上端面まで十分に光が届かず、各表示窓１２３ａ、１２３ｂ、１２３ｃを十分な輝度で発光させることができない。
【００９０】
これに対し、本実施の形態では、上記のように、テーパー形状のテーパー部１４１ｂが設けられているため、各ＬＥＤ８０４、８０５、８０６から入射された光を、漏れを抑制しながら効率的に、各表示窓１２３ａ、１２３ｂ、１２３ｃへと導くことができる。
【００９１】
また、本実施の形態では、第２導光部１４２および第３導光部１４３は、下柱状部１４２ｂ、１４３ｂが、それぞれ、第２表示窓１２３ｂおよび第３表示窓１２３ｃの真裏位置から第２ＬＥＤ８０５および第３ＬＥＤ８０６の配置位置へ斜めに延びるような構成とされている。したがって、第２ＬＥＤ８０５および第３ＬＥＤ８０６が、それぞれ、上方から見て、第２表示窓１２３ｂおよび第３表示窓１２３ｃとずれた位置に配置されていても、第２ＬＥＤ８０５および第３ＬＥＤ８０６からの光を第２表示窓１２３ｂおよび第３表示窓１２３ｃへと良好に導くことができる。
【００９２】
以上、本実施の形態について説明したが、本発明は上記実施の形態に何ら制限されるものではなく、また、本発明の実施形態も、上記実施の形態に以外に、種々の変更が可能である。
【００９３】
たとえば、上記実施の形態では、導光部材１４の各導光部１４１、１４２、１４３が、断面積の小さな円柱状の上柱状部１４１ａ、１４２ａ、１４３ａと断面積の大きな円柱状の下柱状部１４１ｂ、１４２ｂ、１４３ｂとの間に円錐状のテーパー部１４１ｃ、１４２
ｃ、１４３ｃが形成されるような構成とされている。しかしながら、これに限らず、図９に示すように、各導光部１４１、１４２、１４３が、円柱状の上柱状部１４１ａ、１４２ａ、１４３ａと、その下端面が上柱状部１４１ａ、１４２ａ、１４３ａの断面積より大きな円錐状の下柱状部１４１ｂ、１４２ｂ、１４３ｂとによって構成されても良い。このような構成とされても、各導光部１４１、１４２、１４３は、広く形成された下端面（入射面）から多くの光を取り込んで、その光を外部に極力漏らすことなく各表示窓１２３ａ、１２３ｂ、１２３ｃに導くことができる。
【００９４】
また、上記実施の形態では、上方から見て、第２ＬＥＤ８０５と第２表示窓１２３ｂとの位置および第３ＬＥＤ８０６と第３表示窓１２３ｃとの位置がずれているため、第２導光部１４２および第３導光部１４３では、下柱状部１４２ｂ、１４３ｂが斜めに形成されている。しかしながら、このような位置ずれがなければ、第２導光部１４２と第３導光部１４３とを、第１導光部１４１と同じ形状にすることができる。
【００９５】
さらに、上記実施の形態では、テーパー部１４１ｃ、１４２ｃ、１４３ｃの断面積が線形的に小さくなっている。しかしながら、これに限らず、テーパー部１４１ｃ、１４２ｃ、１４３ｃの断面積は、次第に小さくなれば良く、多少非線形的に小さくなっても良い。なお、各導光部１４１、１４２、１４３の基端面１４１ｅ、１４２ｅ、１４３ｅは、凹曲面とされることが望ましい。このようにすれば、各ＬＥＤ８０４、８０５、８０６からの光の基端面１４１ｅ、１４２ｅ、１４３ｅに対する入射角度が深くなるので、各導光部１４１、１４２、１４３へ光が取り込まれ易くなる。
【００９６】
なお、上記実施の形態では、インジケータ部１２３が、上部キャビネット１２の反り上がった前部に設けられたが、インジケータ部１２３の配置位置は、これに限るものではない。ただし、上記実施の形態のように、短焦点タイプの大きなレンズ３１１が配されたために反り上がった部分にインジケータ部１２３が配されると、回路基板８０１の各ＬＥＤ８０４、８０５、８０６から各表示窓１２３ａ、１２３ｂ、１２３ｂまでの距離が長くなり、このため、各ＬＥＤ８０４、８０５、８０６から各表示窓１２３ａ、１２３ｂ、１２３ｂに光が届きにくくなる。本実施の形態に係る導部材１４は、このように、本体キャビネットが反り上がって発光部からの距離が大きくなったような位置にインジケータ部が配置される場合に用いて、特に好ましいものである。
【００９７】
この他、本発明の実施の形態は、特許請求の範囲に示された技術的思想の範囲内において、適宜、種々の変更が可能である。
【符号の説明】
【００９８】
１０  本体キャビネット
１２３  インジケータ部
１２３ａ  第１表示窓（表示窓、表示装置）
１２３ｂ  第２表示窓（表示窓、表示装置）
１２３ｃ  第３表示窓（表示窓、表示装置）
１４  導光部材
１４１  第１導光部（導光部、表示装置）
１４２  第２導光部（導光部、表示装置）
１４３  第３導光部（導光部、表示装置）
１４４ｂ  第２連結部（連結部、表示装置）
１５３、１５４  遮蔽リブ（遮光壁、表示装置）
８０１  回路基板
８０４  第１ＬＥＤ（発光部、表示装置）
８０５  第２ＬＥＤ（発光部、表示装置）
８０６  第３ＬＥＤ（発光部、表示装置）
【図１】
2011165608.tif 000003
【図２】
2011165608.tif 000004
【図３】
2011165608.tif 000005
【図４】
2011165608.tif 000006
【図５】
2011165608.tif 000007
【図６】
2011165608.tif 000008
【図７】
2011165608.tif 000009
【図８】
2011165608.tif 000010
【図９】
2011165608.tif 000011